【手続補正書】
【提出日】平成26年10月6日(2014.10.6)
【手続補正１】
【補正対象書類名】特許請求の範囲
【補正対象項目名】全文
【補正方法】変更
【補正の内容】
【特許請求の範囲】
【請求項１】
マルチモード移動局（ＭＳ）によるワイヤレス通信のための方法であって、
前記ＭＳ内のクライアントからショートメッセージサービス（ＳＭＳ）メッセージを送るようにとの要求を受信することであって、前記要求がクライアントメッセージ識別情報（ＩＤ）および前記ＳＭＳメッセージが再送信されているか否かに関する情報を備える、受信することと、
ＳＭＳメッセージコントローラによって前記クライアントメッセージＩＤをコントローラメッセージＩＤにマッピングすることであって、前記コントローラメッセージＩＤが、前記ＭＳによって送信される各ＳＭＳメッセージに関して一意に定義される、マッピングすることと、
少なくとも前記コントローラメッセージＩＤに基づいてＳＭＳメッセージを生成することと、
前記ＳＭＳメッセージをオーバージエアで送信することと
を備える、方法。
【請求項２】
前記ＳＭＳメッセージに対応する応答メッセージを受信することであって、前記応答メッセージが前記コントローラメッセージＩＤを備える、受信することと、
前記ＭＳに記憶されたマッピングテーブルに基づいて、前記コントローラメッセージＩＤを前記クライアントメッセージＩＤに逆マッピングすることと、
前記応答メッセージと前記クライアントメッセージＩＤとを前記クライアントに転送することと
をさらに備える、請求項１に記載の方法。
【請求項３】
前記ＳＭＳメッセージの送信において失敗があった場合、前記クライアントから、前記ＳＭＳメッセージを再送するようにとの第２の要求を受信することであって、前記第２の要求が前記クライアントメッセージＩＤを備える、受信することと、
前記ＳＭＳメッセージを再生成し、再送信するために、前記クライアントメッセージＩＤに前にマッピングされた前記コントローラメッセージＩＤを再使用することと
をさらに備える、請求項２に記載の方法。
【請求項４】
前記ＳＭＳメッセージが前記ＭＳの第１のモデム上で送信され、前記再送信されるＳＭＳメッセージが前記ＭＳの第２のモデム上で送信される、請求項３に記載の方法。
【請求項５】
前記ＳＭＳメッセージが前記ＭＳの第１のエアインターフェース上で送信され、前記再送信されるＳＭＳメッセージが前記ＭＳの第２のエアインターフェース上で送信される、請求項３に記載の方法。
【請求項６】
前記ＳＭＳメッセージが、第１のＳＭＳトランスポートメカニズムを使用して前記第１のエアインターフェース上で送信され、
前記ＳＭＳメッセージが、前記第１のＳＭＳトランスポートメカニズムとは異なる第２のＳＭＳトランスポートメカニズムを使用して前記第２のエアインターフェース上で再送信される、請求項５に記載の方法。
【請求項７】
少なくとも、前記ＳＭＳメッセージの送信がモデム上で失敗したか、またはタイムアウトが発生したかのいずれかの場合に、前記クライアントに失敗のインジケーションを送ることをさらに備える、請求項１に記載の方法。
【請求項８】
前記ＭＳが、１つまたは複数のモデム（変調器／復調器）または１つまたは複数のアプリケーションプロセッサのうちの少なくとも１つを備える、請求項１に記載の方法。
【請求項９】
２つ以上のクライアントから、前記１つまたは複数のモデムを使用して複数のＳＭＳメッセージを送信するようにとの要求を受信することをさらに備える、請求項８に記載の方法。
【請求項１０】
前記複数のＳＭＳメッセージが、それぞれのコントローラメッセージＩＤに一意に対応する、請求項９に記載の方法。
【請求項１１】
前記ＭＳは、複数の無線インターフェース技術上で同時に通信することが可能である、請求項１に記載の方法。
【請求項１２】
前記ＳＭＳメッセージを生成することが、テレサービスレイヤまたはトランスポートレイヤのうちの少なくとも１つに対応する前記ＳＭＳメッセージ中の１つまたは複数のフィールドを構築することを含む、請求項１に記載の方法。
【請求項１３】
クライアント識別情報、前記クライアントメッセージＩＤ、前記対応するコントローラメッセージＩＤ、または前記ＳＭＳメッセージが再送信されているか否かのうちの少なくとも１つをマッピングテーブルに記憶することをさらに備える、請求項１に記載の方法。
【請求項１４】
コントローラメッセージＩＤタイムアウト通知、または前記コントローラメッセージＩＤがもはや使用されていないという前記クライアントからの通知を受信することと、
ＳＭＳ送信についての１つまたは複数の他の要求に将来再割り当てされるように前記コントローラメッセージＩＤをリリースすることと
をさらに備える、請求項１に記載の方法。
【請求項１５】
前記コントローラメッセージＩＤの前回の割当てからあらかじめ定義された持続時間が経過したときに、前記コントローラメッセージＩＤをＳＭＳ送信についての別の要求に再割り当てすることをさらに備える、請求項１に記載の方法。
【請求項１６】
前記クライアントが、オペレーティングシステムクライアント、アプリケーションプロセッサ上に常駐するアプリケーション、モデムプロセッサ上に常駐するアプリケーション、またはユーザ主導型クライアントである、請求項１に記載の方法。
【請求項１７】
ワイヤレス通信のための装置であって、
前記装置内のクライアントからショートメッセージサービス（ＳＭＳ）メッセージを送るようにとの要求を受信することであって、前記要求がクライアントメッセージ識別情報（ＩＤ）および前記ＳＭＳメッセージが再送信されているか否かに関する情報を備える、受信することと、前記クライアントメッセージＩＤをコントローラメッセージＩＤにマッピングすることであって、前記コントローラメッセージＩＤが、前記装置によって送信される各ＳＭＳメッセージに関して一意に定義される、マッピングすることと、少なくとも前記コントローラメッセージＩＤに基づいてＳＭＳメッセージを生成することと、を行うように構成されたＳＭＳメッセージコントローラと、
前記ＳＭＳメッセージをオーバージエアで送信するように構成された送信機と
を備える、装置。
【請求項１８】
前記ＳＭＳメッセージコントローラは、
前記ＳＭＳメッセージに対応する応答メッセージを受信することであって、前記応答メッセージが前記コントローラメッセージＩＤを備える、受信することと、
前記装置に記憶されたマッピングテーブルに基づいて、前記コントローラメッセージＩＤを前記クライアントメッセージＩＤに逆マッピングすることと、
前記応答メッセージと前記クライアントメッセージＩＤとを前記クライアントに転送することと
を行うようにさらに構成された、請求項１７に記載の装置。
【請求項１９】
前記ＳＭＳメッセージコントローラは、
前記ＳＭＳメッセージの送信において失敗があった場合、前記クライアントから、前記ＳＭＳメッセージを再送するようにとの第２の要求を受信することであって、前記第２の要求が前記クライアントメッセージＩＤを備える、受信することと、
前記ＳＭＳメッセージを再生成し、再送信するために、前記クライアントメッセージＩＤに前にマッピングされた前記コントローラメッセージＩＤを再使用することと
を行うようにさらに構成された、請求項１８に記載の装置。
【請求項２０】
前記ＳＭＳメッセージが前記装置の第１のモデム上で送信され、前記再送信されるＳＭＳメッセージが前記装置の第２のモデム上で送信される、請求項１９に記載の装置。
【請求項２１】
前記ＳＭＳメッセージが前記装置の第１のエアインターフェース上で送信され、前記再送信されるＳＭＳメッセージが前記装置の第２のエアインターフェース上で送信される、請求項１９に記載の装置。
【請求項２２】
前記ＳＭＳメッセージが、第１のＳＭＳトランスポートメカニズムを使用して前記第１のエアインターフェース上で送信され、
前記ＳＭＳメッセージが、前記第１のＳＭＳトランスポートメカニズムとは異なる第２のＳＭＳトランスポートメカニズムを使用して前記第２のエアインターフェース上で再送信される、請求項２１に記載の装置。
【請求項２３】
前記ＳＭＳメッセージコントローラは、少なくとも、前記ＳＭＳメッセージの送信がモデム上で失敗したか、またはタイムアウトが発生したかのいずれかの場合に、前記クライアントに失敗のインジケーションを送るようにさらに構成された、請求項１７に記載の装置。
【請求項２４】
１つまたは複数のモデム（変調器／復調器）または１つまたは複数のアプリケーションプロセッサのうちの少なくとも１つをさらに備える、請求項１７に記載の装置。
【請求項２５】
前記ＳＭＳメッセージコントローラが、２つ以上のクライアントから、前記１つまたは複数のモデムを使用して複数のＳＭＳメッセージを送信するようにとの要求を受信するようにさらに構成された、請求項２４に記載の装置。
【請求項２６】
前記複数のＳＭＳメッセージが、それぞれのコントローラメッセージＩＤに一意に対応する、請求項２５に記載の装置。
【請求項２７】
前記装置は、複数の無線インターフェース技術上で同時に通信することが可能である、請求項１７に記載の装置。
【請求項２８】
前記ＳＭＳメッセージコントローラが、テレサービスレイヤまたはトランスポートレイヤのうちの少なくとも１つに対応する前記ＳＭＳメッセージ中の１つまたは複数のフィールドを構築するようにさらに構成された、請求項１７に記載の装置。
【請求項２９】
前記ＳＭＳメッセージコントローラは、クライアント識別情報、前記クライアントメッセージＩＤ、前記対応するコントローラメッセージＩＤ、または前記ＳＭＳメッセージが再送信されているか否かのうちの少なくとも１つをマッピングテーブルに記憶するようにさらに構成された、請求項１７に記載の装置。
【請求項３０】
前記ＳＭＳメッセージコントローラは、
コントローラメッセージＩＤタイムアウト通知、または前記コントローラメッセージＩＤがもはや使用されていないという前記クライアントからの通知を受信することと、
ＳＭＳ送信についての１つまたは複数の他の要求に将来再割り当てされるように前記コントローラメッセージＩＤをリリースすることと
を行うようにさらに構成された、請求項１７に記載の装置。
【請求項３１】
前記ＳＭＳメッセージコントローラは、前記コントローラメッセージＩＤの前回の割当てからあらかじめ定義された持続時間が経過したときに、前記コントローラメッセージＩＤをＳＭＳ送信についての別の要求に再割り当てするようにさらに構成された、請求項１７に記載の装置。
【請求項３２】
前記クライアントが、オペレーティングシステムクライアント、アプリケーションプロセッサ上に常駐するアプリケーション、モデムプロセッサ上に常駐するアプリケーション、またはユーザ主導型クライアントである、請求項１７に記載の装置。
【請求項３３】
１つまたは複数のプロセッサによって実行可能である命令を記憶した非一時的なコンピュータ可読媒体を備える、マルチモード移動局（ＭＳ）によるワイヤレス通信のためのコンピュータプログラム製品であって、前記命令は、
前記ＭＳ内のクライアントからショートメッセージサービス（ＳＭＳ）メッセージを送るようにとの要求を受信するための命令であって、前記要求がクライアントメッセージ識別情報（ＩＤ）および前記ＳＭＳメッセージが再送信されているか否かに関する情報を備える、受信するための命令と、
ＳＭＳメッセージコントローラによって前記クライアントメッセージＩＤをコントローラメッセージＩＤにマッピングするための命令であって、前記コントローラメッセージＩＤが、前記ＭＳによって送信される各ＳＭＳメッセージに関して一意に定義される、マッピングするための命令と、
少なくとも前記コントローラメッセージＩＤに基づいてＳＭＳメッセージを生成するための命令と、
前記ＳＭＳメッセージをオーバージエアで送信するための命令と
を含む、コンピュータプログラム製品。
【請求項３４】
ワイヤレス通信のための装置であって、
前記装置内のクライアントからショートメッセージサービス（ＳＭＳ）メッセージを送るようにとの要求を受信することであって、前記要求がクライアントメッセージ識別情報（ＩＤ）および前記ＳＭＳメッセージが再送信されているか否かに関する情報を備える、受信することと、
ＳＭＳメッセージコントローラによって前記クライアントメッセージＩＤをコントローラメッセージＩＤにマッピングすることであって、前記コントローラメッセージＩＤが、前記装置によって送信される各ＳＭＳメッセージに関して一意に定義される、マッピングすることと、
少なくとも前記コントローラメッセージＩＤに基づいてＳＭＳメッセージを生成することと、
前記ＳＭＳメッセージをオーバージエアで送信することと
を行うように構成された少なくとも１つのプロセッサと、
前記少なくとも１つのプロセッサに結合されたメモリと
を備える、装置。
【手続補正２】
【補正対象書類名】明細書
【補正対象項目名】００９１
【補正方法】変更
【補正の内容】
【００９１】
上記は本開示の態様を対象とするが、本開示の他の態様およびさらなる態様は、それらの基本的範囲から逸脱することなく考案され得、それらの範囲は以下の特許請求の範囲によって判断される。
以下に、本願出願の当初の特許請求の範囲に記載された発明を付記する。
［Ｃ１］
マルチモード移動局（ＭＳ）によるワイヤレス通信のための方法であって、
前記ＭＳ内のクライアントからショートメッセージサービス（ＳＭＳ）メッセージを送るようにとの要求を受信することであって、前記要求がクライアントメッセージ識別情報（ＩＤ）を備える、受信することと、
ＳＭＳメッセージコントローラによって前記クライアントメッセージＩＤをコントローラメッセージＩＤにマッピングすることであって、前記コントローラメッセージＩＤが、前記ＭＳによって送信される各ＳＭＳメッセージに関して一意に定義される、マッピングすることと、
少なくとも前記コントローラメッセージＩＤに基づいてＳＭＳメッセージを生成することと、
前記ＳＭＳメッセージをオーバージエアで送信することと
を備える、方法。
［Ｃ２］
前記ＳＭＳメッセージに対応する応答メッセージを受信することであって、前記応答メッセージが前記コントローラメッセージＩＤを備える、受信することと、
前記ＭＳに記憶されたマッピングテーブルに基づいて、前記コントローラメッセージＩＤを前記クライアントメッセージＩＤに逆マッピングすることと、
前記応答メッセージと前記クライアントメッセージＩＤとを前記クライアントに転送することと
をさらに備える、Ｃ１に記載の方法。
［Ｃ３］
前記ＳＭＳメッセージの送信において失敗があった場合、前記クライアントから、前記ＳＭＳメッセージを再送するようにとの第２の要求を受信することであって、前記第２の要求が前記クライアントメッセージＩＤを備える、受信することと、
前記ＳＭＳメッセージを再生成し、再送信するために、前記クライアントメッセージＩＤに前にマッピングされた前記コントローラメッセージＩＤを再使用することと
をさらに備える、Ｃ２に記載の方法。
［Ｃ４］
前記ＳＭＳメッセージが前記ＭＳの第１のモデム上で送信され、前記再送信されるＳＭＳメッセージが前記ＭＳの第２のモデム上で送信される、Ｃ３に記載の方法。
［Ｃ５］
前記ＳＭＳメッセージが前記ＭＳの第１のエアインターフェース上で送信され、前記再送信されるＳＭＳメッセージが前記ＭＳの第２のエアインターフェース上で送信される、Ｃ３に記載の方法。
［Ｃ６］
前記ＳＭＳメッセージが、第１のＳＭＳトランスポートメカニズムを使用して前記第１のエアインターフェース上で送信され、
前記ＳＭＳメッセージが、前記第１のＳＭＳトランスポートメカニズムとは異なる第２のＳＭＳトランスポートメカニズムを使用して前記第２のエアインターフェース上で再送信される、Ｃ５に記載の方法。
［Ｃ７］
少なくとも、前記ＳＭＳメッセージの送信がモデム上で失敗したか、またはタイムアウトが発生したかのいずれかの場合に、前記クライアントに失敗のインジケーションを送ることをさらに備える、Ｃ１に記載の方法。
［Ｃ８］
前記ＭＳが、１つまたは複数のモデム（変調器／復調器）または１つまたは複数のアプリケーションプロセッサのうちの少なくとも１つを備える、Ｃ１に記載の方法。
［Ｃ９］
２つ以上のクライアントから、前記１つまたは複数のモデムを使用して複数のＳＭＳメッセージを送信するようにとの要求を受信することをさらに備える、Ｃ８に記載の方法。
［Ｃ１０］
前記複数のＳＭＳメッセージが、それぞれのコントローラメッセージＩＤに一意に対応する、Ｃ９に記載の方法。
［Ｃ１１］
前記ＭＳは、複数の無線インターフェース技術上で同時に通信することが可能である、Ｃ１に記載の方法。
［Ｃ１２］
前記ＳＭＳメッセージを生成することが、テレサービスレイヤまたはトランスポートレイヤのうちの少なくとも１つに対応する前記ＳＭＳメッセージ中の１つまたは複数のフィールドを構築することを含む、Ｃ１に記載の方法。
［Ｃ１３］
クライアント識別情報、前記クライアントメッセージＩＤ、前記対応するコントローラメッセージＩＤ、または前記ＳＭＳメッセージが再送信されているか否かのうちの少なくとも１つをマッピングテーブルに記憶することをさらに備える、Ｃ１に記載の方法。
［Ｃ１４］
前記ＳＭＳメッセージを送るようにとの前記要求は、前記ＳＭＳメッセージが再送信されているか否かに関する情報をさらに備える、Ｃ１に記載の方法。
［Ｃ１５］
コントローラメッセージＩＤタイムアウト通知、または前記コントローラメッセージＩＤがもはや使用されていないという前記クライアントからの通知を受信することと、
ＳＭＳ送信についての１つまたは複数の他の要求に将来再割り当てされるように前記コントローラメッセージＩＤをリリースすることと
をさらに備える、Ｃ１に記載の方法。
［Ｃ１６］
前記コントローラメッセージＩＤの前回の割当てからあらかじめ定義された持続時間が経過したときに、前記コントローラメッセージＩＤをＳＭＳ送信についての別の要求に再割り当てすることをさらに備える、Ｃ１に記載の方法。
［Ｃ１７］
前記クライアントが、オペレーティングシステムクライアント、アプリケーションプロセッサ上に常駐するアプリケーション、モデムプロセッサ上に常駐するアプリケーション、またはユーザ主導型クライアントである、Ｃ１に記載の方法。
［Ｃ１８］
マルチモード移動局（ＭＳ）によるワイヤレス通信のための方法であって、
前記ＭＳ内のクライアントから、メッセージ識別情報（ＩＤ）についての要求を受信することと、
ショートメッセージサービス（ＳＭＳ）メッセージコントローラによって前記クライアントにコントローラメッセージＩＤを割り当てることと、
前記クライアントから前記コントローラメッセージＩＤを備えるＳＭＳメッセージを受信することであって、前記コントローラメッセージＩＤが前記ＳＭＳメッセージを一意に定義する、受信することと、
前記ＳＭＳメッセージをオーバージエアで送信することと
を備える、方法。
［Ｃ１９］
前記コントローラメッセージＩＤが複数の利用可能なメッセージＩＤから選択される、Ｃ１８に記載の方法。
［Ｃ２０］
２つ以上のクライアントがメッセージＩＤを要求する、Ｃ１８に記載の方法。
［Ｃ２１］
前記ＳＭＳメッセージコントローラが前記ＭＳ上に常駐する、Ｃ１８に記載の方法。
［Ｃ２２］
前記ＳＭＳメッセージの前回の送信が失敗した場合、再送信されるべき前記ＳＭＳメッセージのコピーを受信することであって、前記ＳＭＳメッセージの前記コピーが、前記ＳＭＳメッセージの送信のために前に使用された同じコントローラメッセージＩＤを備える、受信することをさらに備える、Ｃ１８に記載の方法。
［Ｃ２３］
前記ＳＭＳメッセージが前記ＭＳの第１のエアインターフェース上で送信され、前記ＳＭＳメッセージの再送信が前記ＭＳの第２のエアインターフェース上で送信される、Ｃ２２に記載の方法。
［Ｃ２４］
前記ＳＭＳメッセージが、第１のＳＭＳトランスポートメカニズムを使用して前記第１のエアインターフェース上で送信され、
前記ＳＭＳメッセージが、前記第１のＳＭＳトランスポートメカニズムとは異なる第２のＳＭＳトランスポートメカニズムを使用して前記第２のエアインターフェース上で再送信される、Ｃ２３に記載の方法。
［Ｃ２５］
コントローラメッセージＩＤタイムアウト通知、または前記コントローラメッセージＩＤがもはや使用されないという前記クライアントからの通知を受信することと、
ＳＭＳ送信についての１つまたは複数の他の要求に将来再割り当てされるように前記コントローラメッセージＩＤをリリースすることと
をさらに備える、Ｃ１８に記載の方法。
［Ｃ２６］
前記コントローラメッセージＩＤの前回の割当てからあらかじめ定義された持続時間が経過したときに、前記コントローラメッセージＩＤをＳＭＳ送信についての別の要求に再割り当てすることをさらに備える、Ｃ１８に記載の方法。
［Ｃ２７］
前記クライアントが、前記クライアントメッセージＩＤまたは前記コントローラメッセージＩＤのうちの少なくとも１つを記憶するためのマッピングテーブルを備える、Ｃ１８に記載の方法。
［Ｃ２８］
前記ＭＳ内の第２のクライアントから、メッセージ識別情報（ＩＤ）についての別の要求を受信することと、
前記ＳＭＳメッセージコントローラによって前記第２のクライアントにコントローラメッセージＩＤを割り当てることと、
前記第２のクライアントから前記メッセージＩＤを備えるＳＭＳメッセージを受信することであって、前記メッセージＩＤが、前記第２のクライアントからの前記ＳＭＳメッセージを一意に定義する、受信することと、
前記第２のクライアントから前記ＳＭＳメッセージをオーバージエアで送信することと
をさらに備える、Ｃ１８に記載の方法。
［Ｃ２９］
マルチモード移動局（ＭＳ）によるワイヤレス通信のための方法であって、
ショートメッセージサービス（ＳＭＳ）メッセージコントローラによって１つまたは複数のクライアントのうちの１つにメッセージ識別情報（ＩＤ）の１つまたは複数のセットのうちの１つを割り当てることと、
前記クライアントからＳＭＳメッセージを受信することであって、前記ＳＭＳメッセージが、前記クライアントに割り当てられたメッセージＩＤの前記セットからのメッセージＩＤを備える、受信することと、
前記ＳＭＳメッセージをオーバージエアで送信することと
を備える、方法。
［Ｃ３０］
前記クライアントから、前記クライアントによって前記ＳＭＳメッセージに割り当てられた前記メッセージＩＤの通知を受信することをさらに備える、Ｃ２９に記載の方法。
［Ｃ３１］
前記クライアントから、前記ＳＭＳメッセージが再送信される必要があるというインジケーションを受信することと、
前記ＳＭＳメッセージの初期送信のために使用された前記メッセージＩＤを前記ＳＭＳメッセージの前記再送信に再割り当てすることと
をさらに備える、Ｃ２９に記載の方法。
［Ｃ３２］
メッセージＩＤの前記１つまたは複数のセット中のメッセージＩＤの数が異なる、Ｃ２９に記載の方法。
［Ｃ３３］
メッセージＩＤの各セット中のメッセージＩＤの数が、前記セットに対応するクライアントによるＳＭＳ送信の確率に依存する、Ｃ３２に記載の方法。
［Ｃ３４］
前記１つまたは複数のクライアントの各々にＳＭＳチャティネスグレードを割り当てることと、
前記１つまたは複数のクライアントの各々に割り当てられた前記ＳＭＳチャティネスグレードに基づいて、利用可能なメッセージＩＤをメッセージＩＤの前記１つまたは複数のセットに分割することと、
少なくとも各クライアントの前記ＳＭＳチャティネスグレードに基づいて、前記クライアントにメッセージＩＤの前記１つまたは複数のセットを割り当てることと
をさらに備える、Ｃ２９に記載の方法。
［Ｃ３５］
前記ＳＭＳチャティネスグレードが、ＳＭＳチャティ、低チャティおよび最低チャティという３つのグレードを含む、Ｃ３４に記載の方法。
［Ｃ３６］
前記１つまたは複数のクライアントからメッセージＩＤ割当てについての１つまたは複数の要求を受信することをさらに備える、Ｃ２９に記載の方法。
［Ｃ３７］
メッセージＩＤの前記１つまたは複数のセット中のメッセージＩＤが前記移動局に関して一意に定義される、Ｃ２９に記載の方法。
［Ｃ３８］
前記クライアントのうちの１つに割り当てられたメッセージＩＤの前記セットがもはや使用されていない場合、そのクライアントから通知を受信することと、
他のクライアントに将来再割り当てされるようにメッセージＩＤの前記セットをリリースすることと
をさらに備える、Ｃ２９に記載の方法。
［Ｃ３９］
ワイヤレス通信のための装置であって、
前記装置内のクライアントからショートメッセージサービス（ＳＭＳ）メッセージを送るようにとの要求を受信することであって、前記要求がクライアントメッセージ識別情報（ＩＤ）を備える、受信することと、前記クライアントメッセージＩＤをコントローラメッセージＩＤにマッピングすることであって、前記コントローラメッセージＩＤが、前記装置によって送信される各ＳＭＳメッセージに関して一意に定義される、マッピングすることと、少なくとも前記コントローラメッセージＩＤに基づいてＳＭＳメッセージを生成することと、を行うように構成されたＳＭＳメッセージコントローラと、
前記ＳＭＳメッセージをオーバージエアで送信するように構成された送信機と
を備える、装置。
［Ｃ４０］
前記ＳＭＳメッセージコントローラは、
前記ＳＭＳメッセージに対応する応答メッセージを受信することであって、前記応答メッセージが前記コントローラメッセージＩＤを備える、受信することと、
前記装置に記憶されたマッピングテーブルに基づいて、前記コントローラメッセージＩＤを前記クライアントメッセージＩＤに逆マッピングすることと、
前記応答メッセージと前記クライアントメッセージＩＤとを前記クライアントに転送することと
を行うようにさらに構成された、Ｃ３９に記載の装置。
［Ｃ４１］
前記ＳＭＳメッセージコントローラは、
前記ＳＭＳメッセージの送信において失敗があった場合、前記クライアントから、前記ＳＭＳメッセージを再送するようにとの第２の要求を受信することであって、前記第２の要求が前記クライアントメッセージＩＤを備える、受信することと、
前記ＳＭＳメッセージを再生成し、再送信するために、前記クライアントメッセージＩＤに前にマッピングされた前記コントローラメッセージＩＤを再使用することと
を行うようにさらに構成された、Ｃ４０に記載の装置。
［Ｃ４２］
前記ＳＭＳメッセージが前記装置の第１のモデム上で送信され、前記再送信されるＳＭＳメッセージが前記装置の第２のモデム上で送信される、Ｃ４１に記載の装置。
［Ｃ４３］
前記ＳＭＳメッセージが前記装置の第１のエアインターフェース上で送信され、前記再送信されるＳＭＳメッセージが前記装置の第２のエアインターフェース上で送信される、Ｃ４１に記載の装置。
［Ｃ４４］
前記ＳＭＳメッセージが、第１のＳＭＳトランスポートメカニズムを使用して前記第１のエアインターフェース上で送信され、
前記ＳＭＳメッセージが、前記第１のＳＭＳトランスポートメカニズムとは異なる第２のＳＭＳトランスポートメカニズムを使用して前記第２のエアインターフェース上で再送信される、Ｃ４３に記載の装置。
［Ｃ４５］
前記ＳＭＳメッセージコントローラは、少なくとも、前記ＳＭＳメッセージの送信がモデム上で失敗したか、またはタイムアウトが発生したかのいずれかの場合に、前記クライアントに失敗のインジケーションを送るようにさらに構成された、Ｃ３９に記載の装置。
［Ｃ４６］
１つまたは複数のモデム（変調器／復調器）または１つまたは複数のアプリケーションプロセッサのうちの少なくとも１つをさらに備える、Ｃ３９に記載の装置。
［Ｃ４７］
前記ＳＭＳメッセージコントローラが、２つ以上のクライアントから、前記１つまたは複数のモデムを使用して複数のＳＭＳメッセージを送信するようにとの要求を受信するようにさらに構成された、Ｃ４６に記載の装置。
［Ｃ４８］
前記複数のＳＭＳメッセージが、それぞれのコントローラメッセージＩＤに一意に対応する、Ｃ４７に記載の装置。
［Ｃ４９］
前記装置は、複数の無線インターフェース技術上で同時に通信することが可能である、Ｃ３９に記載の装置。
［Ｃ５０］
前記ＳＭＳメッセージコントローラが、テレサービスレイヤまたはトランスポートレイヤのうちの少なくとも１つに対応する前記ＳＭＳメッセージ中の１つまたは複数のフィールドを構築するようにさらに構成された、Ｃ３９に記載の装置。
［Ｃ５１］
前記ＳＭＳメッセージコントローラは、クライアント識別情報、前記クライアントメッセージＩＤ、前記対応するコントローラメッセージＩＤ、または前記ＳＭＳメッセージが再送信されているか否かのうちの少なくとも１つをマッピングテーブルに記憶するようにさらに構成された、Ｃ３９に記載の装置。
［Ｃ５２］
前記ＳＭＳメッセージを送るようにとの前記要求は、前記ＳＭＳメッセージが再送信されているか否かに関する情報をさらに備える、Ｃ３９に記載の装置。
［Ｃ５３］
前記ＳＭＳメッセージコントローラは、
コントローラメッセージＩＤタイムアウト通知、または前記コントローラメッセージＩＤがもはや使用されていないという前記クライアントからの通知を受信することと、
ＳＭＳ送信についての１つまたは複数の他の要求に将来再割り当てされるように前記コントローラメッセージＩＤをリリースすることと
を行うようにさらに構成された、Ｃ３９に記載の装置。
［Ｃ５４］
前記ＳＭＳメッセージコントローラは、前記コントローラメッセージＩＤの前回の割当てからあらかじめ定義された持続時間が経過したときに、前記コントローラメッセージＩＤをＳＭＳ送信についての別の要求に再割り当てするようにさらに構成された、Ｃ３９に記載の装置。
［Ｃ５５］
前記クライアントが、オペレーティングシステムクライアント、アプリケーションプロセッサ上に常駐するアプリケーション、モデムプロセッサ上に常駐するアプリケーション、またはユーザ主導型クライアントである、Ｃ３９に記載の装置。
［Ｃ５６］
ワイヤレス通信のための装置であって、
前記装置内のクライアントから、メッセージ識別情報（ＩＤ）についての要求を受信することと、
前記クライアントにコントローラメッセージＩＤを割り当てることと、
前記クライアントから前記コントローラメッセージＩＤを備えるＳＭＳメッセージを受信することであって、前記コントローラメッセージＩＤが前記ＳＭＳメッセージを一意に定義する、受信することと、
を行うように構成されたショートメッセージサービス（ＳＭＳ）メッセージコントローラと、
前記ＳＭＳメッセージをオーバージエアで送信するように構成された送信機と
を備える、装置。
［Ｃ５７］
前記コントローラメッセージＩＤが複数の利用可能なメッセージＩＤから選択される、Ｃ５６に記載の装置。
［Ｃ５８］
２つ以上のクライアントがメッセージＩＤを要求する、Ｃ５６に記載の装置。
［Ｃ５９］
前記ＳＭＳメッセージコントローラが前記装置上に常駐する、Ｃ５６に記載の装置。
［Ｃ６０］
前記ＳＭＳメッセージコントローラは、前記ＳＭＳメッセージの前回の送信が失敗した場合、再送信されるべき前記ＳＭＳメッセージのコピーを受信するようにさらに構成され、前記ＳＭＳメッセージの前記コピーが、前記ＳＭＳメッセージの送信のために前に使用された同じコントローラメッセージＩＤを備える、Ｃ５６に記載の装置。
［Ｃ６１］
前記ＳＭＳメッセージが前記装置の第１のエアインターフェース上で送信され、前記ＳＭＳメッセージの再送信が前記装置の第２のエアインターフェース上で送信される、Ｃ６０に記載の装置。
［Ｃ６２］
前記ＳＭＳメッセージが、第１のＳＭＳトランスポートメカニズムを使用して前記第１のエアインターフェース上で送信され、
前記ＳＭＳメッセージが、前記第１のＳＭＳトランスポートメカニズムとは異なる第２のＳＭＳトランスポートメカニズムを使用して前記第２のエアインターフェース上で再送信される、Ｃ６１に記載の装置。
［Ｃ６３］
前記ＳＭＳメッセージコントローラは、
コントローラメッセージＩＤタイムアウト通知、または前記コントローラメッセージＩＤがもはや使用されないという前記クライアントからの通知を受信することと、
ＳＭＳ送信についての１つまたは複数の他の要求に将来再割り当てされるように前記コントローラメッセージＩＤをリリースすることと
を行うようにさらに構成された、Ｃ５６に記載の装置。
［Ｃ６４］
前記ＳＭＳメッセージコントローラは、前記コントローラメッセージＩＤの前回の割当てからあらかじめ定義された持続時間が経過したときに、前記コントローラメッセージＩＤをＳＭＳ送信についての別の要求に再割り当てするようにさらに構成された、Ｃ５６に記載の装置。
［Ｃ６５］
前記クライアントが、前記クライアントメッセージＩＤまたは前記コントローラメッセージＩＤのうちの少なくとも１つを記憶するためのマッピングテーブルを備える、Ｃ５６に記載の装置。
［Ｃ６６］
前記ＳＭＳメッセージコントローラは、
前記装置内の第２のクライアントから、メッセージ識別情報（ＩＤ）についての別の要求を受信することと、
ＳＭＳメッセージコントローラによって前記第２のクライアントにコントローラメッセージＩＤを割り当てることと、
前記第２のクライアントから前記メッセージＩＤを備えるＳＭＳメッセージを受信することであって、前記メッセージＩＤが、前記第２のクライアントからの前記ＳＭＳメッセージを一意に定義する、受信することと
を行うようにさらに構成され、
前記送信機が、前記第２のクライアントから前記ＳＭＳメッセージをオーバージエアで送信するようにさらに構成された、Ｃ５６に記載の装置。
［Ｃ６７］
ワイヤレス通信のための装置であって、
１つまたは複数のクライアントのうちの１つにメッセージ識別情報（ＩＤ）の１つまたは複数のセットのうちの１つを割り当てることと、
前記クライアントからＳＭＳメッセージを受信することであって、前記ＳＭＳメッセージが、前記クライアントに割り当てられたメッセージＩＤの前記セットからのメッセージＩＤを備える、受信することと、
を行うように構成されたショートメッセージサービス（ＳＭＳ）メッセージコントローラと、
前記ＳＭＳメッセージをオーバージエアで送信するように構成された送信機と
を備える、装置。
［Ｃ６８］
前記ＳＭＳメッセージコントローラが、前記クライアントから、前記クライアントによって前記ＳＭＳメッセージに割り当てられた前記メッセージＩＤの通知を受信するようにさらに構成された、Ｃ６７に記載の装置。
［Ｃ６９］
前記ＳＭＳメッセージコントローラは、
前記クライアントから、前記ＳＭＳメッセージが再送信される必要があるというインジケーションを受信することと、
前記ＳＭＳメッセージの初期送信のために使用された前記メッセージＩＤを前記ＳＭＳメッセージの前記再送信に再割り当てすることと
を行うようにさらに構成された、Ｃ６７に記載の装置。
［Ｃ７０］
メッセージＩＤの前記１つまたは複数のセット中のメッセージＩＤの数が異なる、Ｃ６７に記載の装置。
［Ｃ７１］
メッセージＩＤの各セット中のメッセージＩＤの数が、前記セットに対応するクライアントによるＳＭＳ送信の確率に依存する、Ｃ７０に記載の装置。
［Ｃ７２］
前記ＳＭＳメッセージコントローラが、
前記１つまたは複数のクライアントの各々にＳＭＳチャティネスグレードを割り当てることと、
前記１つまたは複数のクライアントの各々に割り当てられた前記ＳＭＳチャティネスグレードに基づいて、利用可能なメッセージＩＤをメッセージＩＤの前記１つまたは複数のセットに分割することと、
少なくとも各クライアントの前記ＳＭＳチャティネスグレードに基づいて、前記クライアントにメッセージＩＤの前記１つまたは複数のセットを割り当てることと
を行うようにさらに構成された、Ｃ６７に記載の装置。
［Ｃ７３］
前記ＳＭＳチャティネスグレードが、ＳＭＳチャティ、低チャティおよび最低チャティという３つのグレードを含む、Ｃ７２に記載の装置。
［Ｃ７４］
前記ＳＭＳメッセージコントローラが、前記１つまたは複数のクライアントからメッセージＩＤ割当てについての１つまたは複数の要求を受信するようにさらに構成された、Ｃ６７に記載の装置。
［Ｃ７５］
メッセージＩＤの前記１つまたは複数のセット中のメッセージＩＤが前記移動局に関して一意に定義される、Ｃ６７に記載の装置。
［Ｃ７６］
前記ＳＭＳメッセージコントローラは、
前記クライアントのうちの１つに割り当てられたメッセージＩＤの前記セットがもはや使用されていない場合、そのクライアントから通知を受信することと、
他のクライアントに将来再割り当てされるようにメッセージＩＤの前記セットをリリースすることと
を行うようにさらに構成された、Ｃ６７に記載の装置。
［Ｃ７７］
１つまたは複数のプロセッサによって実行可能である命令を記憶したコンピュータ可読媒体を備える、マルチモード移動局（ＭＳ）によるワイヤレス通信のためのコンピュータプログラム製品であって、前記命令は、
前記ＭＳ内のクライアントからショートメッセージサービス（ＳＭＳ）メッセージを送るようにとの要求を受信するための命令であって、前記要求がクライアントメッセージ識別情報（ＩＤ）を備える、受信するための命令と、
ＳＭＳメッセージコントローラによって前記クライアントメッセージＩＤをコントローラメッセージＩＤにマッピングするための命令であって、前記コントローラメッセージＩＤが、前記ＭＳによって送信される各ＳＭＳメッセージに関して一意に定義される、マッピングするための命令と、
少なくとも前記コントローラメッセージＩＤに基づいてＳＭＳメッセージを生成するための命令と、
前記ＳＭＳメッセージをオーバージエアで送信するための命令と
を含む、コンピュータプログラム製品。
［Ｃ７８］
１つまたは複数のプロセッサによって実行可能である命令を記憶したコンピュータ可読媒体を備える、マルチモード移動局（ＭＳ）によるワイヤレス通信のためのコンピュータプログラム製品であって、前記命令は、
前記ＭＳ内のクライアントから、メッセージ識別情報（ＩＤ）についての要求を受信するための命令と、
ショートメッセージサービス（ＳＭＳ）メッセージコントローラによって前記クライアントにコントローラメッセージＩＤを割り当てるための命令と、
前記クライアントから前記コントローラメッセージＩＤを備えるＳＭＳメッセージを受信するための命令であって、前記コントローラメッセージＩＤが前記ＳＭＳメッセージを一意に定義する、受信するための命令と、
前記ＳＭＳメッセージをオーバージエアで送信するための命令と
を含む、コンピュータプログラム製品。
［Ｃ７９］
１つまたは複数のプロセッサによって実行可能である命令を記憶したコンピュータ可読媒体を備える、マルチモード移動局（ＭＳ）によるワイヤレス通信のためのコンピュータプログラム製品であって、前記命令は、
ショートメッセージサービス（ＳＭＳ）メッセージコントローラによって１つまたは複数のクライアントのうちの１つにメッセージ識別情報（ＩＤ）の１つまたは複数のセットのうちの１つを割り当てるための命令と、
前記クライアントからＳＭＳメッセージを受信するための命令であって、前記ＳＭＳメッセージが、前記クライアントに割り当てられたメッセージＩＤの前記セットからのメッセージＩＤを備える、受信するための命令と、
前記ＳＭＳメッセージをオーバージエアで送信するための命令と
を含む、コンピュータプログラム製品。
［Ｃ８０］
ワイヤレス通信のための装置であって、
前記装置内のクライアントからショートメッセージサービス（ＳＭＳ）メッセージを送るようにとの要求を受信することであって、前記要求がクライアントメッセージ識別情報（ＩＤ）を備える、受信することと、
ＳＭＳメッセージコントローラによって前記クライアントメッセージＩＤをコントローラメッセージＩＤにマッピングすることであって、前記コントローラメッセージＩＤが、前記装置によって送信される各ＳＭＳメッセージに関して一意に定義される、マッピングすることと、
少なくとも前記コントローラメッセージＩＤに基づいてＳＭＳメッセージを生成することと、
前記ＳＭＳメッセージをオーバージエアで送信することと
を行うように構成された少なくとも１つのプロセッサと、
前記少なくとも１つのプロセッサに結合されたメモリと
を備える、装置。
［Ｃ８１］
ワイヤレス通信のための装置であって、
前記装置内のクライアントから、メッセージ識別情報（ＩＤ）についての要求を受信することと、
ショートメッセージサービス（ＳＭＳ）メッセージコントローラによって前記クライアントにコントローラメッセージＩＤを割り当てることと、
前記クライアントから前記コントローラメッセージＩＤを備えるＳＭＳメッセージを受信することであって、前記コントローラメッセージＩＤが前記ＳＭＳメッセージを一意に定義する、受信することと、
前記ＳＭＳメッセージをオーバージエアで送信することと
を行うように構成された少なくとも１つのプロセッサと、
前記少なくとも１つのプロセッサに結合されたメモリと
を備える、装置。
［Ｃ８２］
ワイヤレス通信のための装置であって、
ショートメッセージサービス（ＳＭＳ）メッセージコントローラによって１つまたは複数のクライアントのうちの１つにメッセージ識別情報（ＩＤ）の１つまたは複数のセットのうちの１つを割り当てることと、
前記クライアントからＳＭＳメッセージを受信することであって、前記ＳＭＳメッセージが、前記クライアントに割り当てられたメッセージＩＤの前記セットからのメッセージＩＤを備える、受信することと、
前記ＳＭＳメッセージをオーバージエアで送信することと
を行うように構成された少なくとも１つのプロセッサと、
前記少なくとも１つのプロセッサに結合されたメモリと
を備える、装置。